(57)【要約】【課題】固定ネジ締め時の接続用リード足へかかる応力を緩和しつつ、接続用リード足の抵抗値およびサージ電圧を下げることができる端子台を提供することを目的とする。【解決手段】基板７に実装する端子台１であって、ネジ挿入口２ｃを有する台座部２と、台座部２に設けた基板７に形成した回路パターンに接続するための少なくとも３本の接続用リード足４と、台座部２に設けた少なくとも１本の固定用リード足３とを備えており、固定用リード足３の先端部３ａは、接続用リード足４の先端部４ａによって囲まれた範囲の外で、かつ、台座部２をネジ挿入方向へ投影した空間の外にあり、台座部２から固定用リード足３の先端までの長さは、台座部２から接続用リード足４の先端までのいずれの長さよりも長い端子台である。【選択図】図１
2012199184.tif 000002
【特許請求の範囲】
【請求項１】
基板に実装する端子台であって、
ネジ挿入口を有する台座部と、
前記台座部に設けた前記基板に形成した回路パターンに接続するための少なくとも３本の接続用リード足と、
前記台座部に設けた少なくとも１本の固定用リード足とを備えており、
前記固定用リード足の先端部は、前記接続用リード足の先端部によって囲まれた範囲の外で、かつ、前記台座部をネジ挿入方向へ投影した空間の外にあり、
前記台座部から前記固定用リード足の先端までの長さは、前記台座部から前記接続用リード足の先端までのいずれの長さよりも長い端子台。
【請求項２】
前記接続用リード足の先端部が前記台座部をネジ挿入方向へ投影した空間内にある請求項１に記載の端子台。
【請求項３】
前記固定用リード足は、少なくとも３本の前記接続用リード足の先端部によって囲まれた範囲の外へ向かって少なくとも１箇所の段曲げ形状を有している請求項１に記載の端子台。
【請求項４】
前記固定用リード足は前記基板に形成した回路パターンとは絶縁している請求項１に記載の端子台。
【請求項５】
前記台座部が有するネジ挿入口の中心軸から前記固定用リード足の先端部までの長さは、前記台座部が有するネジ挿入口の中心軸から前記接続用リード足の先端部までのいずれの長さよりも長い請求項１に記載の端子台。
【請求項６】
ネジ挿入口を有する台座部と、
前記台座部に設けた前記基板に形成した回路パターンに接続するための少なくとも３本の接続用リード足と、
前記台座部に設けた少なくとも１本の固定用リード足とを備えており、
前記固定用リード足の先端部は、前記接続用リード足の先端部によって囲まれた範囲の外で、かつ、前記台座部をネジ挿入方向へ投影した空間の外にあり、
前記台座部から前記固定用リード足の先端までの長さは、前記台座部から前記接続用リード足の先端までのいずれの長さよりも長い端子台を実装した基板。
【発明の詳細な説明】
【技術分野】
【０００１】
本発明は、基板の回路パターンとハーネスなどの端子とを接続するための端子台、および、これを実装した基板に関するものである。
【背景技術】
【０００２】
従来の端子台としては、ハーネスなどの端子が固定される台座部に少なくとも３本の固定用リード足と接続用リード足とを備えたものがある。接続用リード足は基板の回路パターンに接続して導通を確保する。固定用リード足は基板に固定し基板の回路パターンに接続されない。
【０００３】
また、接続用リード足の先端部は、少なくとも３本の固定用リード足の先端部によって囲まれている。さらに、固定用リード足はネジ挿入口を通る中心軸線と略並行であり、接続用リード足は台座部からネジ挿入口を通る中心軸線方向へ屈曲している。なお、先行技術文献としては、例えば、特許文献１が知られている。
【先行技術文献】
【特許文献】
【０００４】
【特許文献１】特開２００８−１９２３３１号公報
【発明の概要】
【発明が解決しようとする課題】
【０００５】
端子台は基板に実装後に固定ネジ締めを行う。この際、固定ネジを旋回させる回転トルクが応力として各リード足と基板の接触部分に伝播する。この応力により、各リード足を固定している半田にクラックが発生し導通不良を引き起こす可能性がある。
【０００６】
各リード足と基板の接触部分にかかる応力は、固定ネジの旋回中心を通る軸（以下、固定ネジ中心軸）から遠いほど大きくなる。そのため、固定用リード足の先端部が接続用リード足の先端部よりも固定ネジ中心軸から遠くになるようにすることは、接続用リード足へかかる応力緩和の観点から有効である。
【０００７】
従来の端子台の接続用リード足は、固定用リード足に囲まれている。これにより、固定用リード足の先端部が接続用リード足の先端部よりも固定ネジ中心軸から遠くなり応力緩和を実現している。
【０００８】
しかし、従来の端子台は、固定用リード足が固定ネジ中心軸と略並行であり、接続用リード足が台座部から固定ネジ中心軸方向へ屈曲している構成である。すなわち、接続用リード足の長さは、固定用リード足の長さよりも長くなっている。
【０００９】
端子台は、基板の回路パターンとハーネスなどの端子とを接続するものであるため、抵抗値を下げることが望ましい。従来の端子台は、接続用リード足の長さが固定用リード足の長さよりも長くなり抵抗値が高くなってしまうという問題がある。また、接続用リード足の長さが長いことにより、インダクタンスが大きくなるためサージ電圧が高くなるという問題がある。
【００１０】
本発明は、従来の問題を解決するためになされたもので、固定ネジ締め時の接続用リード足へかかる応力を緩和しつつ、接続用リード足の抵抗値およびサージ電圧を下げることができる端子台を提供することを目的とする。
【課題を解決するための手段】
【００１１】
本発明は、基板に実装する端子台であって、ネジ挿入口を有する台座部と、前記台座部に設けた前記基板に形成した回路パターンに接続するための少なくとも３本の接続用リード足と、前記固定用リード足の先端部は、前記接続用リード足の先端部によって囲まれた範囲の外で、かつ、前記台座部をネジ挿入方向へ投影した空間の外にあり、前記台座部から前記固定用リード足の先端までの長さは、前記台座部から前記接続用リード足の先端までのいずれの長さよりも長い端子台である。
【発明の効果】
【００１２】
本発明は、固定用リード足の先端部を、少なくとも３本の接続用リード足の先端部によって囲まれた範囲の外で、かつ、前記台座部をネジ挿入方向へ投影した空間の外になるようにしている。これにより固定ネジ締め時の応力が固定用リード足へかかり、接続用リード足へかかる応力を緩和される。
【００１３】
さらに、台座部から固定用リード足の先端までの長さは台座部から接続用リード足の先端までのいずれの長さよりも長くしている。これにより接続用リード足の抵抗値およびサージ電圧を下げることができる。
【００１４】
以上により本発明は、固定ネジ締め時の接続用リード足へかかる応力を緩和しつつ、接続用リード足の抵抗値およびサージ電圧を下げることができる端子台を提供することができるという効果を奏する。
【図面の簡単な説明】
【００１５】
【図１】本発明の一実施の形態における端子台の斜視図
【図２】本発明の一実施の形態における端子台および周辺部品の分解斜視図
【図３】本発明の一実施の形態における端子台の平面図
【図４】本発明の一実施の形態における端子台を基板に取付ける際の応力分布図
【発明を実施するための形態】
【００１６】
（実施の形態１）
以下、本発明の実施の形態における端子台について図１〜図４を参照しながら説明する。
【００１７】
まず、図１および図２を用いて本実施の形態における端子台の構造及び、端子台の実装について説明する。図１は本発明の実施の形態１における端子台の斜視図である。図２は端子台および周辺部品の分解斜視図である。図１に示すように、端子台１は、端子６が取り付けられる台座部２と、台座部２から延びる１本の固定用リード足３と、台座部２から延びる４本の接続用リード足４とを備えている。
【００１８】
台座部２は、図１に示すように、平板状の台座本体２ａと、台座本体２ａの両側にそれぞれ設けられた折曲部２ｂとを有している。
台座本体２ａには、その中心位置に、固定ネジ５を挿入するためのネジ挿入口２ｃが形成されている。図１に示すように、折曲部２ｂの先端部からは接続用リード足４が４本、基板７に向かって延びている。接続用リード足４は略直線形状であり、折曲部２ｂの先端部から接続用リード足４の先端までの長さは略等しい。
【００１９】
さらに、折曲部２ｂの先端部からは、固定用リード足３が１本、基板７に向かって延びている。固定用リード足３の先端部は、４本の接続用リード足４の先端部によって囲まれた範囲の外で、かつ、台座部２をネジ挿入方向へ投影した空間の外にある。さらに、台座
部２の折曲部２ｂの先端部から固定用リード足３の先端までの長さは、台座部２の折曲部２ｂの先端部から接続用リード足４の先端までのいずれの長さよりも長い。
【００２０】
固定用リード足３は、接続用リード足４の先端部によって囲まれた範囲の外へ向かって少なくとも１箇所以上の段曲げ形状を有している。このようにすることにより曲げ形状を有する連結部３ｂに応力が集中し、接続用リード足４よりも固定用リード足３に応力が集中させることができるという効果を奏する。
【００２１】
接続用リード足４は、基板７の接続用スルーホール７ａに挿入される先端部４ａと、先端部４ａと台座部２の折曲部２ｂとを連結する連結部４ｂとで構成される。固定用リード足３は、基板７の固定用スルーホール７ｂに挿入される先端部３ａと、先端部３ａと台座部２の折曲部２ｂとを連結する連結部３ｂとで構成される。
【００２２】
図２に示すように端子台１は、基板７に実装される。基板７は、図２に示すように、固定用リード足３の先端部３ａが挿入される１個の固定用スルーホール７ｂと、接続用リード足４の先端部４ａが挿入される４個の接続用スルーホール７ａとを有している。固定用スルーホール７ｂには回路パターンが接続されず、４個の接続用スルーホール７ａには回路パターンが接続される。
【００２３】
接続用リード足４は、半田によって接続用スルーホール７ａ内で固定される。接続用リード足４と回路パターンとは、半田を介して導通が図られている。固定用リード足３は固定用スルーホール７ｂ内に挿入され、固定用リード足３と回路パターンとは接続されない。
【００２４】
図２に示すように端子台１には、電気製品の端子６を取り付けて、基板７に形成された回路パターンを端子６と電気的に接続する。
【００２５】
端子６は、固定ネジ５を挿入するための貫通穴６ａを有する。また、端子台１は、固定ネジ５を挿入するためのネジ挿入口２ｃを有する。端子６には図示しないハーネスなどの端子が接続される。
【００２６】
固定ネジ５を、端子６の貫通穴６ａおよび端子台１のネジ挿入口２ｃに係合させることにより、端子６が端子台１に接続され固定されるようになっている。
【００２７】
次に、図３を用いて本実施の形態における端子台の各リード足の位置関係を説明する。図３は本発明の実施の形態１における端子台の平面図である。
【００２８】
図３に示すように、４本の接続用リード足４の先端部４ａはいずれも、台座部２をネジ挿入方向（固定ネジ５を挿入する方向）へ投影した空間内にある。
【００２９】
固定用リード足３の先端部は、４本の接続用リード足４の先端部によって囲まれた範囲の外で、かつ、台座部２をネジ挿入方向（固定ネジ５を挿入する方向）へ投影した空間の外にある。
【００３０】
旋回中心Ａは、固定ネジ５の旋回中心を通る軸（固定ネジ中心軸）を通る点である。旋回中心Ａはネジ挿入口２ｃの中心と一致する。
【００３１】
各リード足と基板の接触部分にかかる応力は、旋回中心Ａから遠いほど大きくなる。そのため、固定用リード足３の先端部が接続用リード足４の先端部４ａよりも固定ネジ５の旋回中心Ａを通る軸から遠くになるようにすることは、接続用リード足４へかかる応力緩
和の観点から有効である。
【００３２】
図３の点Ｃは旋回中心Ａから接続用リード足４の先端部４ａまでの距離でありこれをｒ１とする。図３の点Ｂは固定用リード足３の先端部３ａまでの距離でありこれをｒ２とする。ｒ２はｒ１よりも長くする。
【００３３】
すなわち、台座部２が有するネジ挿入口２ｃの中心軸から固定用リード足３の先端部までの長さは、台座部２が有するネジ挿入口２ｃの中心軸から接続用リード足４の先端部までのいずれの長さよりも長くなっている。
【００３４】
このようにすることにより、固定ネジ締めを行う際、固定用リード足３に発生する応力Ｆ２が接続用リード足４に発生する応力Ｆ１よりも大きくなり、接続用リード足４にかかる応力を緩和することが可能となる。
【００３５】
最後に図４を用いて本実施の形態における端子台を基板に実装する際の各部にかかる応力について説明する。図４は端子台を基板に取付ける際の応力分布図である。応力がおおきい部分ほど濃く表示している。
【００３６】
図４に示すように固定ネジ締めを行う際、固定用リード足３に発生する応力の方が、接続用リード足４に発生する応力よりも大きくなっていることがわかる。これにより接続用リード足４にかかる応力が緩和されている。
【００３７】
以上のように本発明の一実施の形態における端子台１は、固定用リード足３の先端部を４本の接続用リード足４の先端部によって囲まれた範囲の外で、かつ、台座部２をネジ挿入方向へ投影した空間の外になるようにしている。これにより固定ネジ締め時の応力が固定用リード足３へかかり、接続用リード足４へかかる応力が緩和される。
【００３８】
さらに、台座部２から固定用リード足３の先端までの長さは台座部２から接続用リード足４の先端までのいずれの長さよりも長くしている。これにより接続用リード足４の抵抗値およびサージ電圧を下げることができる。
【００３９】
以上により本発明は、固定ネジ締め時の接続用リード足４へかかる応力を緩和しつつ、接続用リード足４の抵抗値およびサージ電圧を下げることができるという効果を奏する。
【００４０】
本発明は本実施の形態に限定されるものではない。例えば、本実施の形態では接続用リード足４は４本となっているが、少なくとも３本であればよい。また、固定用リード足３は１本となっているが２本以上備えることもできる。
【００４１】
さらに、本実施の形態では、４本の接続用リード足４の先端部４ａによって囲まれる領域を矩形としているがこれに限るものではない。
【００４２】
また、本実施の形態では、台座部２は、台座本体２ａの両側に折曲部２ｂを有しているが、折曲部２ｂは、固定用リード足３及び接続用リード足４を補強するためのものであり、必ずしも設ける必要はない。この場合、固定用リード足３及び接続用リード足４は、台座本体２ａに直接設けられることとなる。
【産業上の利用可能性】
【００４３】
本発明は、基板の回路パターンとハーネスなどの端子とを接続するための端子台等、および、これを実装した基板等に有用である。
【符号の説明】
【００４４】
１    端子台
２    台座部
２ａ  台座本体
２ｂ  折曲部
２ｃ  ネジ挿入口
３    固定用リード足
３ａ  先端部
３ｂ  連結部
４    接続用リード足
４ａ  先端部
４ｂ  連結部
５    固定ネジ
６    端子
６ａ  貫通穴
７    基板
７ａ  接続用スルーホール
７ｂ  固定用スルーホール
【図１】
2012199184.tif 000003
【図２】
2012199184.tif 000004
【図３】
2012199184.tif 000005
【図４】
2012199184.tif 000006